(57)【要約】【課題】リムーバブル記憶装置の取り忘れに対する適切な警告を行いつつユーザーにとっての操作性の低下を防止する。【解決手段】リムーバブル記憶装置を装着可能な画像形成装置は、画像形成装置の操作指示を受け付ける入力部と、リムーバブル記憶装置が装着されている場合に、リムーバブル記憶装置の取り忘れに対する警告メッセージを通知すべきかどうかを判定する判定部と、判定部が警告メッセージを通知すべきと判定した場合のみ警告メッセージを通知する通知部と、を有する。そして、判定部は、入力部により受け付けた操作指示に基づくジョブの実行中にリムーバブル記憶装置にアクセスする必要がない場合には警告メッセージを通知すべきと判定し、ジョブの実行中にリムーバブル記憶装置にアクセスする必要がある場合には警告メッセージを通知すべきでないと判定する（Ｓ１０３）。【選択図】図１１
2013168023.tif 000002
【特許請求の範囲】
【請求項１】
リムーバブル記憶装置を装着可能な画像形成装置であって、
前記画像形成装置の操作指示を受け付ける入力部と、
前記リムーバブル記憶装置が装着されている場合に、前記リムーバブル記憶装置の取り忘れに対する警告メッセージを通知すべきかどうかを判定する判定部と、
前記判定部が前記警告メッセージを通知すべきと判定した場合のみ前記警告メッセージを通知する通知部と、を有し、
前記判定部は、前記入力部により受け付けた前記操作指示に基づくジョブの実行中に前記リムーバブル記憶装置にアクセスする必要がない場合には前記警告メッセージを通知すべきと判定し、前記ジョブの実行中に前記リムーバブル記憶装置にアクセスする必要がある場合には前記警告メッセージを通知すべきでないと判定することを特徴とする画像形成装置。
【請求項２】
前記ジョブであって、その実行中に前記リムーバブル記憶装置にアクセスする必要がないジョブの連続するカウント数を記録する記録部をさらに有し、
前記通知部は、前記記録部により記録されたカウント数に応じて異なるメッセージを前記警告メッセージとして通知することを特徴とする請求項１に記載の画像形成装置。
【請求項３】
前記通知部は、前記記録部により記録されたカウント数が所定の閾値を超える場合に、前記リムーバブル記憶装置の取り外しを要求するメッセージを前記警告メッセージとして通知することを特徴とする請求項２に記載の画像形成装置。
【請求項４】
前記入力部は、前記通知部により前記リムーバブル記憶装置の取り外しを要求するメッセージが通知された場合に、前記リムーバブル装置が取り外されるまで前記操作指示の受け付けを停止することを特徴とする請求項３に記載の画像形成装置。
【請求項５】
前記ジョブであって、その実行中に前記リムーバブル記憶装置にアクセスする必要があるジョブの完了後の経過時間を測定する測定部をさらに有し、
前記通知部は、前記測定部により測定された経過時間に応じて異なるメッセージを前記警告メッセージとして通知することを特徴とする請求項１に記載の画像形成装置。
【請求項６】
前記通知部は、前記測定部により測定された経過時間が所定の閾値を超える場合に、前記リムーバブル記憶装置の取り外しを要求するメッセージを前記警告メッセージとして通知することを特徴とする請求項５に記載の画像形成装置。
【請求項７】
前記入力部は、前記通知部により前記リムーバブル記憶装置の取り外しを要求するメッセージが通知された場合に、前記リムーバブル装置が取り外されるまで前記操作指示の受け付けを停止することを特徴とする請求項６に記載の画像形成装置。
【請求項８】
リムーバブル記憶装置を装着可能な画像形成装置の制御プログラムであって、
前記画像形成装置の操作指示を入力部により受け付ける手順（Ａ）と、
前記リムーバブル記憶装置が装着されている場合に、前記リムーバブル記憶装置の取り忘れに対する警告メッセージを通知すべきかどうかを判定する手順（Ｂ）と、
前記手順（Ｂ）で前記警告メッセージを通知すべきと判定された場合のみ前記警告メッセージを通知する手順（Ｃ）と、を前記画像形成装置に実行させ、
前記手順（Ｂ）では、前記手順（Ａ）で受け付けた前記操作指示に基づくジョブの実行中に前記リムーバブル記憶装置にアクセスする必要がない場合には前記警告メッセージを通知すべきと判定し、前記ジョブの実行中に前記リムーバブル記憶装置にアクセスする必要がある場合には前記警告メッセージを通知すべきでないと判定することを特徴とする制御プログラム。
【請求項９】
前記ジョブであって、その実行中に前記リムーバブル記憶装置にアクセスする必要がないジョブの連続するカウント数を記録する手順（Ｄ）を前記画像形成装置にさらに実行させ、
前記手順（Ｃ）では、前記手順（Ｄ）で記録されたカウント数に応じて異なるメッセージを前記警告メッセージとして通知することを特徴とする請求項８に記載の制御プログラム。
【請求項１０】
前記手順（Ｃ）では、前記手順（Ｄ）で記録されたカウント数が所定の閾値を超える場合に、前記リムーバブル記憶装置の取り外しを要求するメッセージを前記警告メッセージとして通知することを特徴とする請求項９に記載の制御プログラム。
【請求項１１】
前記手順（Ｃ）で前記リムーバブル記憶装置の取り外しを要求するメッセージが通知された場合に、前記リムーバブル装置が取り外されるまで前記入力部による前記操作指示の受け付けを停止する手順（Ｅ）を前記画像形成装置にさらに実行させることを特徴とする請求項１０に記載の制御プログラム。
【請求項１２】
前記ジョブであって、その実行中に前記リムーバブル記憶装置にアクセスする必要があるジョブの完了後の経過時間を測定する手順（Ｆ）を前記画像形成装置にさらに実行させ、
前記手順（Ｃ）では、前記手順（Ｆ）で測定された経過時間に応じて異なるメッセージを前記警告メッセージとして通知することを特徴とする請求項１１に記載の制御プログラム。
【請求項１３】
前記手順（Ｃ）では、前記手順（Ｆ）で測定された経過時間が所定の閾値を超える場合に、前記リムーバブル記憶装置の取り外しを要求するメッセージを前記警告メッセージとして通知することを特徴とする請求項１２に記載の制御プログラム。
【請求項１４】
前記手順（Ｃ）で前記リムーバブル記憶装置の取り外しを要求するメッセージが通知された場合に、前記リムーバブル装置が取り外されるまで前記入力部による前記操作指示の受け付けを停止する手順（Ｇ）を前記画像形成装置にさらに実行させることを特徴とする請求項１３に記載の制御プログラム。
【請求項１５】
請求項８〜１４のいずれか１つに記載の制御プログラムが記録されたコンピューター読み取り可能な記録媒体。
【請求項１６】
リムーバブル記憶装置を装着可能な画像形成装置であって、
前記画像形成装置の操作指示を受け付ける入力部と、
前記リムーバブル記憶装置が装着されている場合に、前記リムーバブル記憶装置の取り忘れに対する警告メッセージを通知する通知部と、を有し、
前記通知部は、前記入力部により受け付けた前記操作指示に基づくジョブの実行中に前記リムーバブル記憶装置にアクセスする必要がない場合には第１の警告メッセージを通知し、前記ジョブの実行中に前記リムーバブル記憶装置にアクセスする必要がある場合には前記第１の警告メッセージとは異なる第２の警告メッセージを通知することを特徴とする画像形成装置。
【請求項１７】
前記第１の警告メッセージは、前記リムーバブル記憶装置の取り外しを要求するメッセージであることを特徴とする請求項１６に記載の画像形成装置。
【請求項１８】
前記入力部は、前記通知部により前記第１の警告メッセージが通知された場合に、前記リムーバブル装置が取り外されるまで前記操作指示の受け付けを停止することを特徴とする請求項１７に記載の画像形成装置。
【請求項１９】
リムーバブル記憶装置を装着可能な画像形成装置の制御プログラムであって、
前記画像形成装置の操作指示を入力部により受け付ける手順（ａ）と、
前記リムーバブル記憶装置が装着されている場合に、前記リムーバブル記憶装置の取り忘れに対する警告メッセージを通知する手順（ｂ）と、を前記画像形成装置に実行させ、
前記手順（ｂ）では、前記手順（ａ）で受け付けた前記操作指示に基づくジョブの実行中に前記リムーバブル記憶装置にアクセスする必要がない場合には第１の警告のメッセージを通知し、前記ジョブの実行中に前記リムーバブル記憶装置にアクセスする必要がある場合には前記第１の警告メッセージとは異なる第２の警告メッセージを通知することを特徴とする制御プログラム。
【請求項２０】
前記第１のメッセージは、前記リムーバブル記憶装置の取り外しを要求するメッセージであることを特徴とする請求項１９に記載の制御プログラム。
【請求項２１】
前記手順（ｂ）で前記第１のメッセージが通知された場合に、前記リムーバブル装置が取り外されるまで前記入力部による前記操作指示の受け付けを停止する手順（ｃ）を前記画像形成装置にさらに実行させることを特徴とする請求項２０に記載の制御プログラム。
【請求項２２】
請求項１９〜２１のいずれか１つに記載の制御プログラムが記録されたコンピューター読み取り可能な記録媒体。
【発明の詳細な説明】
【技術分野】
【０００１】
本発明は、リムーバブル記憶装置を装着することができる画像形成装置、及び当該画像形成装置の制御プログラムに関する。
【背景技術】
【０００２】
ＭＦＰ（Ｍｕｌｔｉ−Ｆｕｎｃｔｉｏｎ  Ｐｅｒｉｐｈｅｒａｌ）等の画像形成装置の多くはＵＳＢ（Ｕｎｉｖｅｒｓａｌ  Ｓｅｒｉａｌ  Ｂｕｓ）メモリー等のリムーバブル記憶装置を装着するためのインターフェースを有しており、リムーバブル記憶装置内の画像データを出力したり、スキャナー等により生成した画像データをリムーバブル記憶装置内に保存したりする機能を備えている。他方、このような機能の普及に伴い、ユーザーが画像形成装置に装着したリムーバブル記憶装置を取り忘れるという問題が生じている。
【０００３】
従来、リムーバブル記録装置の取り忘れを防止するために、オペレーションパネル上にユーザーの注意を喚起するメッセージを表示することができる画像形成装置が提案されている。また、リムーバブル記憶装置が取り外されるまで次の操作に進むことができないようにオペレーションパネル等を制御することにより、効果的に取り忘れを防止する手法も知られている。これに関連して、以下の特許文献１には、リムーバブル記憶装置内の写真画像データに基づく写真印刷を実行する画像形成装置において、写真印刷の終了後にリムーバブル記憶装置の取り忘れをチェックし、取り忘れがある場合には警告メッセージを表示するとともに、リムーバブル記憶装置が取り外されるまでメインメニューに切り替わらないようにオペレーションパネルを制御する技術が提案されている。
【０００４】
上記技術はリムーバブル記憶装置の取り忘れを防止するという観点では効果的である。しかし、上記技術によると、取り忘れがある場合には常に警告メッセージが表示されるので、画像形成装置の操作性が低下する虞がある。例えば、リムーバブル記憶装置からのデータ読み出しを要するジョブが実行中である場合、ユーザーはリムーバブル記憶装置が装着されていることを認識している可能性が高い。このような場合に警告メッセージが表示されてしまうと、その警告メッセージを解除するための作業等が別途必要となるため、ユーザーの負担が増加することになる。
【先行技術文献】
【特許文献】
【０００５】
【特許文献１】特開２００５−８５０００号公報
【発明の概要】
【発明が解決しようとする課題】
【０００６】
本発明は、上述した課題に鑑みてなされたものである。したがって、本発明の目的は、リムーバブル記憶装置の取り忘れに対する適切な警告を行いつつユーザーにとっての操作性の低下を防止することができる画像形成装置、及び当該画像形成装置の制御プログラムを提供することである。
【課題を解決するための手段】
【０００７】
本発明の上記目的は、下記の手段によって達成される。
【０００８】
（１）リムーバブル記憶装置を装着可能な画像形成装置であって、前記画像形成装置の操作指示を受け付ける入力部と、前記リムーバブル記憶装置が装着されている場合に、前記リムーバブル記憶装置の取り忘れに対する警告メッセージを通知すべきかどうかを判定する判定部と、前記判定部が前記警告メッセージを通知すべきと判定した場合のみ前記警告メッセージを通知する通知部と、を有し、前記判定部は、前記入力部により受け付けた前記操作指示に基づくジョブの実行中に前記リムーバブル記憶装置にアクセスする必要がない場合には前記警告メッセージを通知すべきと判定し、前記ジョブの実行中に前記リムーバブル記憶装置にアクセスする必要がある場合には前記警告メッセージを通知すべきでないと判定することを特徴とする画像形成装置。
【０００９】
（２）前記ジョブであって、その実行中に前記リムーバブル記憶装置にアクセスする必要がないジョブの連続するカウント数を記録する記録部をさらに有し、前記通知部は、前記記録部により記録されたカウント数に応じて異なるメッセージを前記警告メッセージとして通知することを特徴とする上記（１）に記載の画像形成装置。
【００１０】
（３）前記通知部は、前記記録部により記録されたカウント数が所定の閾値を超える場合に、前記リムーバブル記憶装置の取り外しを要求するメッセージを前記警告メッセージとして通知することを特徴とする上記（２）に記載の画像形成装置。
【００１１】
（４）前記入力部は、前記通知部により前記リムーバブル記憶装置の取り外しを要求するメッセージが通知された場合に、前記リムーバブル装置が取り外されるまで前記操作指示の受け付けを停止することを特徴とする上記（３）に記載の画像形成装置。
【００１２】
（５）前記ジョブであって、その実行中に前記リムーバブル記憶装置にアクセスする必要があるジョブの完了後の経過時間を測定する測定部をさらに有し、前記通知部は、前記測定部により測定された経過時間に応じて異なるメッセージを前記警告メッセージとして通知することを特徴とする上記（１）に記載の画像形成装置。
【００１３】
（６）前記通知部は、前記測定部により測定された経過時間が所定の閾値を超える場合に、前記リムーバブル記憶装置の取り外しを要求するメッセージを前記警告メッセージとして通知することを特徴とする上記（５）に記載の画像形成装置。
【００１４】
（７）前記入力部は、前記通知部により前記リムーバブル記憶装置の取り外しを要求するメッセージが通知された場合に、前記リムーバブル装置が取り外されるまで前記操作指示の受け付けを停止することを特徴とする上記（６）に記載の画像形成装置。
【００１５】
（８）リムーバブル記憶装置を装着可能な画像形成装置の制御プログラムであって、前記画像形成装置の操作指示を入力部により受け付ける手順（Ａ）と、前記リムーバブル記憶装置が装着されている場合に、前記リムーバブル記憶装置の取り忘れに対する警告メッセージを通知すべきかどうかを判定する手順（Ｂ）と、前記手順（Ｂ）で前記警告メッセージを通知すべきと判定された場合のみ前記警告メッセージを通知する手順（Ｃ）と、を前記画像形成装置に実行させ、前記手順（Ｂ）では、前記手順（Ａ）で受け付けた前記操作指示に基づくジョブの実行中に前記リムーバブル記憶装置にアクセスする必要がない場合には前記警告メッセージを通知すべきと判定し、前記ジョブの実行中に前記リムーバブル記憶装置にアクセスする必要がある場合には前記警告メッセージを通知すべきでないと判定することを特徴とする制御プログラム。
【００１６】
（９）前記ジョブであって、その実行中に前記リムーバブル記憶装置にアクセスする必要がないジョブの連続するカウント数を記録する手順（Ｄ）を前記画像形成装置にさらに実行させ、前記手順（Ｃ）では、前記手順（Ｄ）で記録されたカウント数に応じて異なるメッセージを前記警告メッセージとして通知することを特徴とする上記（８）に記載の制御プログラム。
【００１７】
（１０）前記手順（Ｃ）では、前記手順（Ｄ）で記録されたカウント数が所定の閾値を超える場合に、前記リムーバブル記憶装置の取り外しを要求するメッセージを前記警告メッセージとして通知することを特徴とする上記（９）に記載の制御プログラム。
【００１８】
（１１）前記手順（Ｃ）で前記リムーバブル記憶装置の取り外しを要求するメッセージが通知された場合に、前記リムーバブル装置が取り外されるまで前記入力部による前記操作指示の受け付けを停止する手順（Ｅ）を前記画像形成装置にさらに実行させることを特徴とする上記（１０）に記載の制御プログラム。
【００１９】
（１２）前記ジョブであって、その実行中に前記リムーバブル記憶装置にアクセスする必要があるジョブの完了後の経過時間を測定する手順（Ｆ）を前記画像形成装置にさらに実行させ、前記手順（Ｃ）では、前記手順（Ｆ）で測定された経過時間に応じて異なるメッセージを前記警告メッセージとして通知することを特徴とする上記（１１）に記載の制御プログラム。
【００２０】
（１３）前記手順（Ｃ）では、前記手順（Ｆ）で測定された経過時間が所定の閾値を超える場合に、前記リムーバブル記憶装置の取り外しを要求するメッセージを前記警告メッセージとして通知することを特徴とする上記（１２）に記載の制御プログラム。
【００２１】
（１４）前記手順（Ｃ）で前記リムーバブル記憶装置の取り外しを要求するメッセージが通知された場合に、前記リムーバブル装置が取り外されるまで前記入力部による前記操作指示の受け付けを停止する手順（Ｇ）を前記画像形成装置にさらに実行させることを特徴とする上記（１３）に記載の制御プログラム。
【００２２】
（１５）上記（８）〜（１４）のいずれか１つに記載の制御プログラムが記録されたコンピューター読み取り可能な記録媒体。
【００２３】
（１６）リムーバブル記憶装置を装着可能な画像形成装置であって、前記画像形成装置の操作指示を受け付ける入力部と、前記リムーバブル記憶装置が装着されている場合に、前記リムーバブル記憶装置の取り忘れに対する警告メッセージを通知する通知部と、を有し、前記通知部は、前記入力部により受け付けた前記操作指示に基づくジョブの実行中に前記リムーバブル記憶装置にアクセスする必要がない場合には第１の警告メッセージを通知し、前記ジョブの実行中に前記リムーバブル記憶装置にアクセスする必要がある場合には前記第１の警告メッセージとは異なる第２の警告メッセージを通知することを特徴とする画像形成装置。
【００２４】
（１７）前記第１の警告メッセージは、前記リムーバブル記憶装置の取り外しを要求するメッセージであることを特徴とする上記（１６）に記載の画像形成装置。
【００２５】
（１８）前記入力部は、前記通知部により前記第１の警告メッセージが通知された場合に、前記リムーバブル装置が取り外されるまで前記操作指示の受け付けを停止することを特徴とする上記（１７）に記載の画像形成装置。
【００２６】
（１９）リムーバブル記憶装置を装着可能な画像形成装置の制御プログラムであって、前記画像形成装置の操作指示を入力部により受け付ける手順（ａ）と、前記リムーバブル記憶装置が装着されている場合に、前記リムーバブル記憶装置の取り忘れに対する警告メッセージを通知する手順（ｂ）と、を前記画像形成装置に実行させ、前記手順（ｂ）では、前記手順（ａ）で受け付けた前記操作指示に基づくジョブの実行中に前記リムーバブル記憶装置にアクセスする必要がない場合には第１の警告のメッセージを通知し、前記ジョブの実行中に前記リムーバブル記憶装置にアクセスする必要がある場合には前記第１の警告メッセージとは異なる第２の警告メッセージを通知することを特徴とする制御プログラム。
【００２７】
（２０）前記第１のメッセージは、前記リムーバブル記憶装置の取り外しを要求するメッセージであることを特徴とする上記（１９）に記載の制御プログラム。
【００２８】
（２１）前記手順（ｂ）で前記第１のメッセージが通知された場合に、前記リムーバブル装置が取り外されるまで前記入力部による前記操作指示の受け付けを停止する手順（ｃ）を前記画像形成装置にさらに実行させることを特徴とする上記（２０）に記載の制御プログラム。
【００２９】
（２２）上記（１９）〜（２１）のいずれか１つに記載の制御プログラムが記録されたコンピューター読み取り可能な記録媒体。
【発明の効果】
【００３０】
本発明の一実施形態に係る画像形成装置は、ユーザーがリムーバブル記憶装置の取り外しを失念しやすい状況下では警告メッセージを通知すべきと判定し、失念しにくい状況下では警告メッセージを通知すべきでないと判定する。また、本発明の他の実施形態に係る画像形成装置は、ユーザーがリムーバブル記憶装置の取り外しを失念しやすい状況下では取り忘れ防止効果を優先した警告メッセージを表示し、失念しにくい状況下ではユーザーにとっての操作性を優先した警告メッセージを表示する。よって、本発明によると、リムーバブル記憶装置の取り忘れに対する適切な警告を行いつつユーザーにとっての操作性の低下を防止することができる。
【図面の簡単な説明】
【００３１】
【図１】本発明の第１実施形態に係る画像形成装置の外観を示す概略図である。
【図２】本発明の第１実施形態に係る画像形成装置の構成を示すブロック図である。
【図３】本発明の第１実施形態に係る操作画面（スキャン）の一例を示す概略図である。
【図４】本発明の第１実施形態に係る操作画面（スキャン）の一例を示す概略図である。
【図５】本発明の第１実施形態に係る操作画面（スキャン）の一例を示す概略図である。
【図６】本発明の第１実施形態に係る操作画面（外部メモリー印刷）の一例を示す概略図である。
【図７】本発明の第１実施形態に係る操作画面（外部メモリー印刷）の一例を示す概略図である。
【図８】本発明の第１実施形態に係る警告メッセージ（低レベル）の一例を示す概略図である。
【図９】本発明の第１実施形態に係る警告メッセージ（中レベル）の一例を示す概略図である。
【図１０】本発明の第１実施形態に係る警告メッセージ（高レベル）の一例を示す概略図である。
【図１１】本発明の第１実施形態に係る警告表示判定処理の手順を示すフローチャートである。
【図１２】本発明の第１実施形態の変形例に係るジョブカウント記録処理の手順を示すフローチャートである。
【図１３】本発明の第１実施形態の変形例に係る警告表示判定処理の手順を示すフローチャートである。
【図１４】本発明の第１実施形態の他の変形例に係る経過時間測定処理の手順を示すフローチャートである。
【図１５】本発明の第１実施形態の他の変形例に係る警告表示判定処理の手順を示すフローチャートである。
【図１６】本発明の第２実施形態に係る警告表示判定処理の手順を示すフローチャートである。
【発明を実施するための形態】
【００３２】
以下、図面を参照して、本発明の実施形態について詳細に説明する。
【００３３】
＜第１実施形態＞
図１は、本発明の第１実施形態に係る画像形成装置（ＭＦＰ１）の外観を示す概略図である。図１のように、ＭＦＰ１は、ＡＤＦ（Ａｕｔｏ  Ｄｏｃｕｍｅｎｔ  Ｆｅｅｄｅｒ）１１、外部メモリーポート１２、オペレーションパネル１０８、及びプリントエンジン１１３等を備えている。外部メモリーポート１２にはＵＳＢメモリー２等の各種リムーバブル記憶装置を接続することができる。そして、ＭＦＰ１は、ＡＤＦ１１にセットされた原稿を用紙に複写する機能（コピー）、ＡＤＦ１１にセットされた原稿から読み取った画像情報をデジタルデータ化して保存する機能（スキャン）、ＡＤＦ１１にセットされた原稿から読み取った画像情報を公衆回線経由で伝送する機能（ＦＡＸ）、及び外部メモリーポート１２に接続されたリムーバブル記憶装置内の印刷データ等に基づく画像を用紙に印刷する機能（外部メモリー印刷）を有する。なお、ＭＦＰ１は、スキャンにより生成した画像データの保存先として、ＭＦＰ１内部の記憶領域のみならず外部メモリーポート１２に接続されたリムーバブル記憶装置を指定することができる。
【００３４】
図２は、ＭＦＰ１の構成を示すブロック図である。図２のように、ＭＦＰ１は、ＣＰＵ（Ｃｅｎｔｒａｌ  Ｐｒｏｃｅｓｓｉｎｇ  Ｕｎｉｔ）１０１、ＲＯＭ（Ｒｅａｄ  Ｏｎｌｙ  Ｍｅｍｏｒｙ）１０２、ＲＡＭ（Ｒａｎｄｏｍ  Ａｃｃｅｓｓ  Ｍｅｍｏｒｙ）１０３、ＨＤＤ（Ｈａｒｄ  Ｄｉｓｋ  Ｄｒｉｖｅ）１０４、ＩＲ（Ｉｍａｇｅ  Ｒｅａｄｅｒ）／ＡＤＦモーター１０５、モータードライバー１０６、ＣＣＤ（Ｃｈａｒｇｅ  Ｃｏｕｐｌｅｄ  Ｄｅｖｉｃｅ）１０７、オペレーションパネル１０８、及び外部メモリーインターフェース１０９を備えている。
【００３５】
ＣＰＵ１０１は、制御プログラムに従って各部の動作を制御するとともに各種演算処理を実行する。ＲＯＭ１０２は、ＭＦＰ１の基本動作を制御するための制御プログラムやパラメータ等を格納している。ＲＡＭ１０３は、ＣＰＵ１０１の作業領域として制御プログラム等を一時的に保持する。ＨＤＤ１０４は、ＯＳ（Ｏｐｅｒａｔｉｎｇ  Ｓｙｓｔｅｍ）や制御プログラム等を格納している。
【００３６】
ＩＲ／ＡＤＦモーター１０５は、ＡＤＦ１１にセットされた原稿を原稿台に搬送するための駆動装置である。モータードライバー１０６は、ＡＲ／ＡＤＦモーター１０５の動作を制御するための制御装置である。ＣＣＤ１０７は、原稿台に搬送された原稿に光を照射したときの反射光を電気信号に変換するためのイメージセンサーであり、原稿台の下方に配置されている。
【００３７】
オペレーションパネル１０８は、ＬＣＤ（Ｌｕｑｕｉｄ  Ｃｒｙｓｔａｌ  Ｄｉｓｐｌａｙ）や有機ＥＬ（Ｅｌｅｃｔｒｏｌｕｍｉｎｅｓｃｅｎｃｅ）ディスプレイ等の表示装置であり、ＭＦＰ１の各機能（コピー、スキャン、ＦＡＸ、外部メモリー印刷等）の詳細設定に関するユーザー指示を受け付けるためのタッチパネルやジョブを実行すべきとのユーザー指示を受け付けるためのスタートキー等を含む入力装置を備えている。オペレーションパネル１０８には、ＭＦＰ１の各機能に対応する操作画面（図３〜７参照）やリムーバブル記憶装置の取り忘れをユーザーに警告するための警告メッセージ（図８〜１０参照）等が表示される。
【００３８】
外部メモリーインターフェース１０９は、外部メモリーポート１２に接続されたＵＳＢメモリー２等のリムーバブル記憶装置と通信するためのインターフェースである。外部メモリーインターフェース１０９は、外部メモリーポート１２の導電状態をチェックすることによりリムーバブル記憶装置が装着されているかどうかを判定する機能を有する。
【００３９】
図２のように、ＭＦＰ１は、ＮＩＣ（Ｎｅｔｗｏｒｋ  Ｉｎｔｅｒｆａｃｅ  Ｃａｒｄ）１１０、画像処理チップ１１１、ＲＡＭ１１２、プリントエンジン１１３、ＴＥＬ応答モジュール１１４、モデム１１５、及び公衆回線Ｉ／Ｆモジュール１１６を備えている。
【００４０】
ＮＩＣ１１０は、ＬＡＮ（Ｌｏｃａｌ  Ａｒｅａ  Ｎｅｔｗｏｒｋ）を介して外部機器と通信するためのインターフェースである。画像処理チップ１１１は、ＰＤＬ（Ｐａｇｅ  Ｄｅｓｃｒｉｐｔｉｏｎ  Ｌａｎｇｕａｇｅ）形式の印刷データに対するＲＩＰ（Ｒａｓｔｅｒ  Ｉｍａｇｅ  Ｐｒｏｃｅｓｓｉｎｇ）を実行するとともに、ＲＩＰにより生成された画像データに対する濃度調整、エッジ強調、スムージング等の各種画像処理を実行する。ＲＡＭ１１２は、画像処理チップ１１１の作業領域として各種データを一時的に保持する。プリントエンジン１１３は、電子写真方式の印刷工程を用いてＲＡＭ１１２内の画像データに基づく画像を用紙に印刷する。ただし、プリントエンジン１１３はインパクト方式やインクジェット方式等の他の印刷方式を採用するものであってもよい。
【００４１】
ＴＥＬ応答モジュール１１４は、ＦＡＸ受信時に相手側装置との間で各種信号の受け渡しをすることにより通信速度や符号化方式等を決定する。モデム１１５は、ＦＡＸ送信時に画像情報のデジタル信号をアナログ信号に変調するとともにＦＡＸ受信時に画像情報のアナログ信号をデジタル信号に復調する。公衆回線Ｉ／Ｆモジュール１１６は、ＦＡＸ送受信時に公衆回線を介して相手側装置と通信するためのインターフェースである。
【００４２】
図３は、ＭＦＰ１の「スキャン」機能に対応する操作画面Ｇ２０の一例を示す概略図である。図３のように、オペレーションパネル１０８はＭＦＰ１の各機能に対応する機能選択ボタンｂ１を備えており、ユーザーはいずれかの機能選択ボタンｂ１にタッチすることにより現在表示中の操作画面を他の機能の操作画面に切り替えることができる。
【００４３】
図３のように、スキャンの操作画面Ｇ２０は、原稿を読み取ることにより生成した画像データの保存先を指定するための保存先指定欄ｅ１、及び当該画像データの文書名を指定するための文書名指定欄ｅ２を備えている。また、スキャンの操作画面Ｇ２０は、「読み込み設定」ボタンｂ２及び「原稿設定」ボタンｂ３を備えており、ユーザーは「読み込み設定」ボタンｂ２にタッチすることにより読み込み設定に関する詳細設定画面Ｇ２１を表示させることができ、「原稿設定」ボタンｂ３にタッチすることにより原稿設定に関する詳細設定画面Ｇ２２を表示させることができる。
【００４４】
図４は、「読み込み設定」の詳細設定画面Ｇ２１の一例を示す概略図であり、図５は、「原稿設定」の詳細設定画面Ｇ２２の一例を示す概略図である。図４のように、ユーザーは、「読み込み設定」の詳細設定画面Ｇ２１上で、スキャン実行時の「原稿画質」や「解像度」や「濃度」や「ファイル形式」等を指定することができる。図５のように、ユーザーは、「原稿設定」の詳細設定画面Ｇ２２上で、スキャン実行時の「原稿サイズ」や「原稿向き」等を指定することができる。
【００４５】
続いて、図６は、ＭＦＰ１の「外部メモリー印刷」機能に対応する操作画面Ｇ４０の一例を示す概略図である。図６のように、外部メモリー印刷の操作画面Ｇ４０は、リムーバブル記憶装置内の印刷データへのファイルパスを指定するためのファイルパス指定欄ｅ３、及びリムーバブル装置内のデータの一覧が表示されるリスト表示欄ｅ４を備えている。また、外部メモリー印刷の操作画面Ｇ４０は、「印刷設定」ボタンｂ４を備えており、ユーザーは「印刷設定」ボタンｂ４にタッチすることにより印刷設定に関する詳細設定画面Ｇ４１を表示させることができる。図７は、「印刷設定」の詳細設定画面Ｇ４１の一例を示す概略図である。図７のように、ユーザーは、「印刷設定」の詳細設定画面Ｇ４１上で、外部メモリー印刷実行時の「カラー」や「用紙」や「倍率」等を指定することができる。
【００４６】
続いて、図８〜図１０は、それぞれオペレーションパネル１０９に表示される警告メッセージＭ１〜Ｍ３の一例を示す概略図である。図８〜図１０のように、警告メッセージＭ１〜Ｍ３はいずれもリムーバブル記憶装置の取り忘れをユーザーに警告するものであるが、ユーザーにとっての取り忘れ防止効果や操作性等の観点では互いに相違している。
【００４７】
例えば、図８の例による警告メッセージＭ１（「ＵＳＢメモリーの取り忘れに注意してください。」）はオペレーションパネル１０８の一側部に表示されるにすぎないので、ユーザーに対する取り忘れ防止効果は比較的低いと考えられる。そのため、以下では警告メッセージＭ１のことを「低レベル」の警告メッセージと称することがある。他方、ユーザーは警告メッセージＭ１の表示中であっても操作画面への入力を継続することができるので、警告メッセージＭ１はユーザーにとっての操作性を優先した警告メッセージであるといえる。
【００４８】
また、図９の例による警告メッセージＭ２（「ＵＳＢメモリーの取り忘れに注意してください。」）はオペレーションパネル１０８上に現れたポップアップ画面Ｐ１内に表示され、ユーザーは「ＯＫ」ボタンｂ５にタッチしてポップアップ画面Ｐ１を消去するまで操作画面への入力を継続することができない。そのため、警告メッセージＭ２の取り忘れ防止効果は警告メッセージＭ１よりも高いと考えられる。以下では警告メッセージＭ２のことを「中レベル」の警告メッセージと称することがある。他方、警告メッセージＭ２は「ＯＫ」ボタンｂ５にタッチする作業をユーザーに強いることになるので、警告メッセージＭ１ほど操作性を優先したものではない。
【００４９】
そして、図１０の例による警告メッセージＭ３（「継続操作するにはＵＳＢメモリーを取り外してください。」）はオペレーションパネル１０８上に現れたポップアップ画面Ｐ２内に表示され、ユーザーはリムーバブル記憶装置を取り外してポップアップ画面Ｐ２を消去するまで設定画面への入力を継続することができない。そのため、警告メッセージＭ３の取り忘れ防止効果は警告メッセージＭ１及びＭ２よりも高いと考えられる。以下では警告メッセージＭ３のことを「高レベル」の警告メッセージと称することがある。他方、警告メッセージＭ３は、リムーバブル記憶装置を取り外すという作業をユーザーに強いることになるので、警告メッセージＭ１ほど操作性を優先したものではない。
【００５０】
次に、本実施形態に係るＭＦＰ１の動作の概要について説明する。図１１は、ＭＦＰ１がリムーバブル記憶装置の取り忘れに対する警告メッセージを表示すべきかどうかを判定するための処理の手順を示すフローチャートである。このような処理のことを以下では「警告表示判定処理」と称する。本実施形態に係る警告表示判定処理は、オペレーションパネル１０８に表示中の操作画面上で何らかの設定変更が受け付けられる都度、又はオペレーションパネル１０８上でジョブが受け付けられる都度、実行される。なお、図１１のフローチャートにより示されるアルゴリズムはＲＯＭ１０２に制御プログラムとして格納されている。
【００５１】
図１１のように、先ず、ＭＦＰ１は、外部メモリーポート１２にリムーバブル記憶装置が装着されているかどうかを判定する（Ｓ１０１）。そして、リムーバブル記憶装置が装着されていない場合は（Ｓ１０１のＮＯ）、警告メッセージを表示すべきでないと判定し、オペレーションパネル１０８上の警告メッセージを「非表示」に切り替える（Ｓ１０４）。その後、ＭＦＰ１は、警告表示判定処理を終了する（エンド）。ここで、警告メッセージを「非表示」に切り替えるとは、警告メッセージＭ１〜Ｍ３のいずれかが表示中である場合にそれを非表示にすること、及び警告メッセージが非表示である場合にそれを非表示のままにしておくことの双方を含む概念である（後述する第２実施形態においても同様である。）。
【００５２】
他方、外部メモリーポート１２にリムーバブル記憶装置が装着されている場合は（Ｓ１０１のＹＥＳ）、現在オペレーションパネル１０８に表示中の操作画面に対応する機能（コピー、スキャン、ＦＡＸ、又は外部メモリー印刷）がリムーバブル記憶装置に関連する機能であるかどうかを判定する（Ｓ１０２）。ここで、「リムーバブル記憶装置に関連する機能」とは、そのジョブを実行する際に入力データのファイルパス又は出力データの保存先としてリムーバブル記憶装置を指定することができる機能のことを指し、具体的には、「スキャン」及び「外部メモリー印刷」の機能のことを指す（後述する第２実施形態においても同様である）。
【００５３】
なお、以下ではオペレーションパネル１０８に表示中の操作画面に対応する機能のことを「選択機能」と称することがある。前述のように、ユーザーはオペレーションパネル１０８上の機能選択ボタンｂ１にタッチすることにより選択機能を切り替えることができる。
【００５４】
続いて、選択機能がリムーバブル記憶装置に関連する機能（すなわち、「スキャン」又は「外部メモリー印刷」）ではない場合（Ｓ１０２のＮＯ）、ＭＦＰ１は、警告メッセージを表示すべきであると判定し、オペレーションパネル１０８上の警告メッセージを「表示」に切り替える（Ｓ１０５）。その後、ＭＦＰ１は、警告表示判定処理を終了する（エンド）。ここで、警告メッセージを「表示」に切り替えるとは、警告メッセージが非表示である場合に警告メッセージＭ１〜Ｍ３のいずれかを表示すること、及び警告メッセージＭ１〜Ｍ３のいずれかが表示中である場合にそれを表示し続けることの双方を含む概念である。
【００５５】
他方、選択機能がリムーバブル記憶装置に関連する機能である場合（Ｓ１０２のＹＥＳ）、ＭＦＰ１は、選択機能の操作画面上で受け付けたユーザー指示に基づくジョブの実行中にリムーバブル記憶装置にアクセスする必要があるかどうかを判定する（Ｓ１０３）。より具体的に、Ｓ１０３では、選択機能が「スキャン」である場合に設定画面Ｇ２０中の保存先指定欄ｅ１においてリムーバブル記憶装置が指定されているかどうか、又は選択機能が「外部メモリー印刷」である場合に設定画面Ｇ４０中のファイルパス指定欄ｅ３においてリムーバブル記憶装置が指定されているかどうかを判定する。
【００５６】
続いて、選択機能のジョブ実行中にリムーバブル記憶装置にアクセスする必要がある場合（Ｓ１０３のＹＥＳ）、ＭＦＰ１は、警告メッセージを表示すべきでないと判定し、オペレーションパネル１０８上の警告メッセージを「非表示」に切り替える（Ｓ１０４）。その後、ＭＦＰ１は、警告表示判定処理を終了する（エンド）。このように警告メッセージを「非表示」に切り替えるのは、リムーバブル記憶装置へのアクセスを必要とするジョブが実行中である場合、ユーザーはリムーバブル記憶装置が装着されていることを十分に認識している可能性が高いからである。すなわち、リムーバブル記憶装置へのアクセスを必要とするジョブが実行中である場合、ユーザーはリムーバブル記憶装置の取り外しを失念しにくい状況にあると考えられる。よって、このような状況下では、ユーザーにとっての操作性を考慮して、警告メッセージを表示しないことが好ましい。
【００５７】
他方、選択機能のジョブ実行中にリムーバブル記憶装置にアクセスする必要がない場合（Ｓ１０３のＮＯ）、ＭＦＰ１は、警告メッセージを表示すべきであると判定し、オペレーションパネル１０８上の警告メッセージを「表示」に切り替える（Ｓ１０５）。その後、ＭＦＰ１は、警告表示判定処理を終了する（エンド）。このように警告メッセージを「表示」に切り替えるのは、リムーバブル記憶装置へのアクセスを必要としないジョブが実行中である場合、ユーザーは必ずしもリムーバブル記憶装置が装着されていることを認識していないからである。すなわち、リムーバブル記憶装置へのアクセスを必要としないジョブが実行中である場合、ユーザーはリムーバブル記憶装置の取り外しを失念しやすい状況にあると考えられる。よって、このような状況下では、リムーバブル記憶装置の取り忘れを確実に防止するために、警告メッセージを表示することが好ましい。
【００５８】
続いて、本実施形態の変形例について説明する。本例において、ＭＦＰ１は、警告表示判定処理（図１３参照）に加えて、リムーバブル記憶装置に関連しないジョブが連続して実行された場合のカウント数を記録するための処理を実行する。このような処理のことを以下では「ジョブカウント記録処理」と称する。本例によるジョブカウント記録処理は、ＭＦＰ１においてジョブの処理が開始される都度、実行される。
【００５９】
図１２は、本例によるジョブカウント記録処理の手順を示すフローチャートである。図１２のように、先ず、ＭＦＰ１は、処理を開始したジョブがリムーバブル記憶装置に関連するジョブ（すなわち、「スキャン」又は「外部メモリー印刷」のジョブ）であるかどうかを判定する（Ｓ２０１）。そして、処理を開始したジョブがリムーバブル記憶装置に関連するジョブではない場合は（Ｓ２０１のＮＯ）、カウント数を１つ増加させる（Ｓ２０２）。他方、処理を開始したジョブがリムーバブル記憶装置に関連するジョブである場合は（Ｓ２０１のＹＥＳ）、カウント数をクリアする（Ｓ２０３）。その後、ＭＦＰ１は、ジョブカウント記録処理を終了する（エンド）。
【００６０】
図１３は、本例による警告表示判定処理の手順を示すフローチャートである。なお、図１３におけるＳ３０１〜Ｓ３０４の手順は、図１０におけるＳ１０１〜Ｓ１０４の手順と同様である。そのため、以下ではＳ３０５〜Ｓ３０９の手順についてのみ説明する。
【００６１】
図１３のように、ＭＦＰ１は、ジョブカウント記録処理によるカウント数が２未満であるかどうかを判定する（Ｓ３０５）。そして、カウント数が２未満である場合（Ｓ３０５のＹＥＳ）は、警告メッセージを「低レベル」に切り替える（Ｓ３０６）。ここで、警告メッセージを「低レベル」に切り替えるとは、警告メッセージが非表示である場合に低レベルの警告メッセージＭ１（図８参照）を表示すること、中レベルの警告メッセージＭ２（図９参照）又は高レベルの警告メッセージＭ３（図１０参照）が表示中である場合にそれを低レベルの警告メッセージＭ１に切り替えること、及び低レベルの警告メッセージＭ１が表示中である場合にそれを表示し続けることを含む概念である（後述する第２実施形態においても同様である）。
【００６２】
他方、カウント数が２以上である場合（Ｓ３０５のＮＯ）、ＭＦＰ１は、カウント数が５未満であるかどうかを判定する（Ｓ３０７）。そして、カウント数が５未満である場合（Ｓ３０７のＹＥＳ）は、警告メッセージを「中レベル」に切り替える（Ｓ３０８）。ここで、警告メッセージを「中レベル」に切り替えるとは、警告メッセージが非表示である場合に中レベルの警告メッセージＭ２（図９参照）を表示すること、低レベルの警告メッセージＭ１（図８参照）又は高レベルの警告メッセージＭ３（図１０参照）が表示中である場合にそれを中レベルの警告メッセージＭ２に切り替えること、及び中レベルの警告メッセージＭ２が表示中である場合にそれを表示し続けることを含む概念である。
【００６３】
また、カウント数が５以上である場合（Ｓ３０７のＮＯ）、ＭＦＰ１は、警告メッセージを「高レベル」に切り替える（Ｓ３０９）。ここで、警告メッセージを「高レベル」に切り替えるとは、警告メッセージが非表示である場合に高レベルの警告メッセージＭ３（図１０参照）を表示すること、低レベルの警告メッセージＭ１（図８参照）又は中レベルの警告メッセージＭ２（図９参照）が表示中である場合にそれを高レベルの警告メッセージＭ３に切り替えること、及び高レベルの警告メッセージＭ３が表示中である場合にそれを表示し続けることを含む概念である（後述する第２実施形態においても同様である）。その後、ＭＦＰ１は、警告表示判定処理を終了する（エンド）。
【００６４】
このように警告メッセージの警告レベルをジョブカウント数に応じて変化させるのは、リムーバブル記憶装置に関連しないジョブが連続すればするほど、ユーザーはリムーバブル記憶装置の取り外しを一層失念しやすくなると考えられるからである。
【００６５】
続いて、本実施形態の他の変形例について説明する。本例において、ＭＦＰ１は、警告表示判定処理（図１５参照）に加えて、リムーバブル記憶装置に関連するジョブ完了後の経過時間を測定するための処理を実行する。このような処理のことを以下では「経過時間測定処理」と称する。本例による経過時間測定処理は、ＭＦＰ１においてジョブの処理が完了される都度、実行される。
【００６６】
図１４は、本例による経過時間測定処理の手順を示すフローチャートである。図１４のように、先ず、ＭＦＰ１は、処理を完了したジョブがリムーバブル記憶装置に関連するジョブ（すなわち、「スキャン」又は「外部メモリー印刷」のジョブ）であるかどうかを判定する（Ｓ４０１）。そして、処理を完了したジョブがリムーバブル記憶装置に関連するジョブである場合は（Ｓ４０１のＹＥＳ）、タイマーをリセットしてジョブ完了後の経過時間の測定を開始する（Ｓ４０２）。その後、ＭＦＰ１は、経過時間測定処理を終了する（エンド）。他方、処理を完了したジョブがリムーバブル記憶装置に関連するジョブでない場合は（Ｓ４０１のＮＯ）、経過時間の測定を開始することなく経過時間測定処理を終了する（エンド）。
【００６７】
図１５は、本例による警告表示判定処理の手順を示すフローチャートである。なお、図１５におけるＳ５０１〜Ｓ５０４の手順は、図１０におけるＳ１０１〜Ｓ１０４の手順と同様である。そのため、以下ではＳ５０５〜Ｓ５０９の手順についてのみ説明する。
【００６８】
図１５のように、ＭＦＰ１は、経過時間測定処理により測定を開始した経過時間が２分未満であるかどうかを判定する（Ｓ５０５）。そして、経過時間が２分未満である場合（Ｓ５０５のＹＥＳ）は、警告メッセージを「低レベル」に切り替える（Ｓ５０６）。他方、経過時間が２分以上である場合（Ｓ５０５のＮＯ）は、経過時間が５分未満であるかどうかを判定する（Ｓ５０７）。
【００６９】
そして、経過時間が５分未満である場合は（Ｓ５０７のＹＥＳ）警告メッセージを「中レベル」に切り替え（Ｓ５０８）、経過時間が５分以上である場合は（Ｓ５０７のＮＯ）警告メッセージを「高レベル」に切り替える（Ｓ５０９）。その後、ＭＦＰ１は、警告表示判定処理を終了する（エンド）。
【００７０】
このように警告メッセージを経過時間に応じて変化させるのは、リムーバブル記憶装置に関連するジョブ完了後の経過時間が長くなればなるほど、ユーザーはリムーバブル記憶装置の取り外しを一層失念しやすくなると考えらえるからである。
【００７１】
以上のように、本実施形態に係るＭＦＰ１は、ユーザーがリムーバブル記憶装置の取り外しを失念しやすい状況下では警告メッセージを表示すべきと判定し、失念しにくい状況下では警告メッセージを表示すべきでないと判定することにより、リムーバブル記憶装置の取り忘れに対する適切な警告を行いつつユーザーにとっての操作性の低下を防止することができる。
【００７２】
また、本実施形態の各変形例においては、ユーザーがリムーバブル記憶装置の取り外しを特に失念しやすい場合のみ高レベルの警告メッセージを表示するので、ユーザーにとっての操作性の低下をさらに効果的に防止することができる。
【００７３】
＜第２実施形態＞
以下に、本発明の第２実施形態について説明する。本実施形態に係る画像形成装置は、前述した第１実施形態に係る画像形成装置（ＭＦＰ１）と同様の構成を有する。そのため、本実施形態に係るＭＦＰ及び各部についての詳細な説明を省略し、それらに言及する際には前述した第１実施形態と同様の符号を用いる。また、本実施形態に係るＭＦＰ１のオペレーションパネル１０８に表示される操作画面や警告メッセージ等も前述した第１実施形態に係るものと同様である。
【００７４】
次に、本実施形態に係るＭＦＰ１の動作の概要について説明する。図１６は、本実施形態に係る警告表示判定処理の手順を示すフローチャートである。本実施形態に係る警告表示判定処理は、前述した第１実施形態と同様に、オペレーションパネル１０８に表示中の操作画面上で何らかの設定変更が受け付けられる都度、又はオペレーションパネル１０８上でジョブが受け付けられる都度、実行される。
【００７５】
図１６のように、先ず、ＭＦＰ１は、外部メモリーポート１２にリムーバブル記憶装置が装着されているかどうかを判定する（Ｓ６０１）。そして、リムーバブル記憶装置が装着されていない場合は（Ｓ６０１のＮＯ）、警告メッセージを表示すべきでないと判定し、オペレーションパネル１０８上の警告メッセージを「非表示」に切り替える（Ｓ６０４）。その後、ＭＦＰ１は、警告表示判定処理を終了する（エンド）。
【００７６】
他方、外部メモリーポート１２にリムーバブル記憶装置が装着されている場合は（Ｓ６０１のＹＥＳ）、選択機能がリムーバブル記憶装置に関連する機能（すなわち、「スキャン」又は「外部メモリー印刷」）であるかどうかを判定する（Ｓ６０２）。そして、選択機能がリムーバブル記憶装置に関連する機能ではない場合（Ｓ６０２のＮＯ）、ＭＦＰ１は、オペレーションパネル１０８上の警告メッセージを「高レベル」に切り替えてから（Ｓ６０６）、警告表示判定処理を終了する（エンド）。
【００７７】
また、選択機能がリムーバブル記憶装置に関連する機能である場合（Ｓ６０２のＹＥＳ）、ＭＦＰ１は、選択機能の操作画面上で受け付けたユーザー指示に基づくジョブの実行中にリムーバブル記憶装置にアクセスする必要があるかどうかをさらに判定する（Ｓ６０３）。より具体的に、Ｓ１０３では、選択機能が「スキャン」である場合には設定画面Ｇ２０中の保存先指定欄ｅ１においてリムーバブル記憶装置が指定されているかどうか、又は選択機能が「外部メモリー印刷」である場合には設定画面Ｇ４０中のファイルパス指定欄ｅ３においてリムーバブル記憶装置が指定されているかどうかを判定する。
【００７８】
そして、選択機能のジョブ実行中にリムーバブル記憶装置にアクセスする必要がない場合（Ｓ６０３のＮＯ）、ＭＦＰ１は、オペレーションパネル１０８上の警告メッセージを「高レベル」に切り替えてから（Ｓ６０６）、警告表示判定処理を終了する（エンド）。このように警告メッセージを「高レベル」に切り替えるのは、リムーバブル記憶装置へのアクセスを必要としないジョブが実行中である場合、ユーザーは必ずしもリムーバブル記憶装置が装着されていることを認識していないからである。すなわち、リムーバブル記憶装置へのアクセスを必要としないジョブが実行中である場合、ユーザーはリムーバブル記憶装置の取り外しを失念しやすい状況にあると考えられる。よって、このような状況下では、ユーザーにとっての操作性よりも取り忘れ防止効果を優先した「高レベル」の警告メッセージＭ３（図１０参照）を表示することが好ましい。
【００７９】
他方、選択機能のジョブ実行中にリムーバブル記憶装置にアクセスする必要がある場合（Ｓ６０３のＹＥＳ）、ＭＦＰ１は、オペレーションパネル１０８上の警告メッセージを「低レベル」に切り替えてから（Ｓ６０５）、警告表示判定処理を終了する（エンド）。このように警告メッセージを「低レベル」に切り替えるのは、リムーバブル記憶装置へのアクセスを必要とするジョブが実行中である場合、ユーザーはリムーバブル記憶装置が装着されていることを十分に認識している可能性が高いからである。すなわち、リムーバブル記憶装置へのアクセスを必要とするジョブが実行中である場合、ユーザーはリムーバブル記憶装置の取り外しを失念しにくい状況にあると考えられる。よって、このような状況下では、取り忘れ防止効果よりもユーザーにとっての操作性を優先した「低レベル」の警告メッセージＭ１（図８参照）を表示することが好ましい。
【００８０】
以上のように、本実施形態に係るＭＦＰ１は、ユーザーがリムーバブル記憶装置の取り外しを失念しやすい状況下では取り忘れ防止効果を優先した警告メッセージを表示し、失念しにくい状況下ではユーザーにとっての操作性を優先した警告メッセージを表示することにより、リムーバブル記憶装置の取り忘れに対する適切な警告を行いつつユーザーにとっての操作性の低下を防止することができる。
【００８１】
本発明は、上述した実施形態のみに限定されるものではなく、特許請求の範囲内において、種々改変することができる。例えば、上記実施形態ではリムーバブル記憶装置としてＵＳＢメモリー２を例示したが、本発明に係るリムーバブル記憶装置は、メモリースティック、スマートメディア、コンパクトフラッシュ（登録商標）、ＳＤメモリーカード等であってもよい。また、本発明に係る画像形成装置の機能は、上記実施形態において例示したようなコピー、スキャン、ＦＡＸ、外部メモリー印刷等に限定されない。さらに、上記実施形態では警告メッセージをオペレーションパネル上に表示することとしたが、本発明に係る通知部は音声メッセージを再生することによりリムーバブル記憶装置の取り忘れに対する注意を促すこともできる。
【００８２】
本実施形態に係る画像形成装置における各種処理を行う手段および方法は、専用のハードウエア回路により実現されてもよいし、プログラムされたコンピューターにより実現されてもよい。上記のプログラムは、例えば、フレキシブルディスクおよびＣＤ−ＲＯＭ等のコンピューター読み取り可能な記録媒体によって提供されてもよいし、インターネット等のネットワークを介してオンラインで提供されてもよい。この場合、コンピューター読み取り可能な記録媒体に記録されたプログラムは、通常、ハードディスク等の記憶装置に転送され記憶される。また、上記のプログラムは、単独のアプリケーションソフトとして提供されてもよいし、画像形成装置の一機能としてソフトウェアに組み込まれてもよい。
【符号の説明】
【００８３】
１      ＭＦＰ、
１１    ＡＤＦ、
１２    外部メモリーポート、
１０１  ＣＰＵ、
１０２  ＲＯＭ、
１０３  ＲＡＭ、
１０４  ＨＤＤ、
１０５  ＩＲ／ＡＤＦモーター、
１０６  モータードライバー、
１０７  ＣＣＤ、
１０８  オペレーションパネル、
１０９  外部メモリーインターフェース、
１１０  ＮＩＣ、
１１１  画像処理チップ、
１１２  ＲＡＭ、
１１３  プリントエンジン、
１１４  ＴＥＬ応答モジュール、
１１５  モデム、
１１６  公衆回線Ｉ／Ｆモジュール、
２      ＵＳＢメモリー、
Ｇ２０  操作画面（スキャン）、
Ｇ２１  詳細設定画面（読み込み設定）、
Ｇ２２  詳細設定画面（原稿設定）、
Ｇ４０  操作画面（外部メモリー印刷）、
Ｇ４１  詳細設定画面（印刷設定）、
Ｍ１    警告メッセージ（低レベル）、
Ｍ２    警告メッセージ（中レベル）、
Ｍ３    警告メッセージ（高レベル）、
Ｐ１    ポップアップ画面、
Ｐ２    ポップアップ画面。
【図１】
2013168023.tif 000003
【図２】
2013168023.tif 000004
【図１１】
2013168023.tif 000005
【図１２】
2013168023.tif 000006
【図１３】
2013168023.tif 000007
【図１４】
2013168023.tif 000008
【図１５】
2013168023.tif 000009
【図１６】
2013168023.tif 000010
【図３】
2013168023.tif 000011
【図４】
2013168023.tif 000012
【図５】
2013168023.tif 000013
【図６】
2013168023.tif 000014
【図７】
2013168023.tif 000015
【図８】
2013168023.tif 000016
【図９】
2013168023.tif 000017
【図１０】
2013168023.tif 000018